(57)【要約】      （修正有）【課題】台形箱型で安定であり、座椅子、椅子、肘掛など多目的に利用でき、容易に組み立てが出来、容易に携帯できる正座兼座椅子を提供する。【解決手段】ハの字形箱型ではあるが前面を後面より広いものとすることにした。又、正座時に、台脚後面板巾を広げ、座面板が少し前に傾く様にした。台脚後面板下部に巾２００ｍｍ、高さ４５〜５０ｍｍ、半径９６ｍｍ程度の開口部を設けて、正座時の指先が支障なく伸ばせるものとした。また、スプリング式丁番を使用し、自動的に開口し、伸縮性ゴム紐７の使用により、組み立てを容易にし、又、その伸縮性ゴム紐７で携帯用に結束利用できる様にした。【選択図】図１
0003150407.tif 000002
【実用新案登録請求の範囲】
【請求項１】
木製でありながら左台脚側面板と台脚後面板、右台脚側面板と台脚後面板の台形内角角度が９３〜９５度程度であり、ハの字形台形箱型を特徴とする正座兼座椅子
【請求項２】
請求項１に加えて、台脚後面板に幅２００ｍｍ程度、高さ４５〜５０ｍｍ程度、半径９６ｍｍ程度の三日月形切り込みを入れてある事を特徴とする正座兼座椅子
【請求項３】
木製品の欠点である反りを防ぐ為に左右台脚側面板に別種の木製品を横桟として組み込んであること特徴とする正座兼座椅子
【請求項４】
台脚後面板から伸縮性ゴム紐で座面板を引っ張ることで、座面板を左右台脚側面板に嵌め込むことが出来ることを特徴とする正座兼座椅子
【考案の詳細な説明】
【技術分野】
【０００１】  本考案の内容は台形箱型で組み立て式であり多用途に使用できる木製携帯用正座兼座椅子に関するものである。
【背景技術】
【０００２】  近年高齢者が多くなるにつれて、老齢化と共に足、腰、膝の不調や肥満により身体的に不便、不都合な為に正座が出来ないと訴える人の姿をよく目にすることがある。
又、日本古来よりの伝統文化の中には必ず必要とされる立居振舞であり、作法でもある正座を近年は遠ざかっている中で、茶、花などの伝統文化のなかにおける稽古練習などの助けになる正座椅子が求められている。【０００３】  その為、これまで正座用の椅子としての種々の型、例えばＶ字型Ｔ字型箱型などが採用されている。
【特許文献１】特許公開２００５−２６１８２３
【特許文献２】特許公開２００５−２０４７５８
【特許文献３】特許公開２００５−１５２３４２
【０００４】  又、使われている材料がスチール製やダンボール製のものなどが採用されている。
【特許文献４】特許公開２００５−２６１８２３
【特許文献５】特許公開２００４−０８９４２２
【特許文献６】特許公開２００４−０３３２７２
【０００５】  又、正座のみを目的としたものがほとんどである。
【特許文献７】特許公開２００４−２１６１４５
【特許文献８】特許公開２００４−０６５６２５
【特許文献９】特許公開２００４−０３３２７２
【０００６】  又、不安定なものが数多く見られる。
【特許文献１０】特許公開２００５−２６１８２３
【特許文献１１】特許公開２００４−０３３２７２
【特許文献１２】特許公開２００２−０００３９２
【特許文献１３】特許公開２００１−０１７２７０
【特許文献１４】特許公開２００１−１１２５７９
【考案の開示】
【考案が解決しようとする課題】
【０００７】  椅子の形状を台形箱型にする事により安定性を高めること。【０００８】  他の素材に比較して処分しやすく環境にやさしい木材を使用すること。【０００９】  正座だけではなく座椅子や肘掛椅子など、多目的に使用出来る様にすること。【００１０】  コンパクトに折りたたむことにより携帯し易く、軽く持ち運びが容易である形状にすること。
【課題を解決するための手段】
【００１１】  図２に示す如く、左台脚側面板３と台脚後面板４、右台脚側面板２と台脚後面板４の台形内角度αを９３〜９５度程度とし、ハの字形台形箱型とした。【００１２】  ネジ、釘、金具、紐以外、使用する材料は環境にやさしい木材を各種組み合わせたものとした。【００１３】  図２に示す如く、左右台脚側面板３、２と台脚後面板４はスプリング丁番５で接続開閉式として座面板１とは伸縮性ゴム紐７等で引っ張り、座面板１を左右台脚側面板３、２に嵌め込み、しかりと組み立てると正座椅子、座椅子、肘掛椅子になる。【００１４】  図３、図４に示す如く、座面板裏１２に小溝切り込み１ａを設け、左右台脚側面板３、２の凸部かき合わせ３ｃ、２ｃを嵌め込めるものとした。１ａの切り込み部分はハの字形とし、台形内角角度β＝８７〜８５度程度が良い。【００１５】  図４の座面板裏１２に左右台脚側面板３、２を補強する座面板ガイド用部材１ｃを設けた。【００１６】  図５、図６に示す如く、左右台脚側面板３、２に内径７５ｍｍ程度の円形切り抜き部３ｂ，２ｂを設け全体重量を軽くした。【００１７】  図５、図６に示すごとく、携帯として指を差し込んで持ち易い様に、左右台脚側面板３、２に切り抜き３ｅ、２ｅを設けた。【００１８】  図７、図８に示すごとく、台脚後面板４の下方に足指先が当たることの無いように、高さｄ３＝４５〜５０ｍｍ程度、巾ｄ２＝２００ｍｍ程度、半径Ｒ１＝９６ｍｍ程度として、三日月形の切り込み４ｂを設けた。【００１９】  又、台脚後面板４の切り込み４ｂは、図１９に示すごとく、肘掛で使用する場合に役立つものとした。【００２０】  図９、図１０に示すごとく、伸縮性ゴム紐７を台脚後面板４の切り込み部分４ｃに嵌め込むと、簡単に全体を束ねることが出来る。
【考案の効果】
【００２１】  図１でわかるように、台形箱型であるために安定しているので、老人や身体的に不都合と思われる人も容易に使用する事ができるものである。【００２２】  図１６でわかるように、正座をして使用する場合、両足が箱の中に楽に入り込み、台脚後面板４に４ｂを設ける事により、足指先が無理なくゆったりと保てるようになる。【００２３】  図５、図６において、２ｂ、３ｂの開口は重量を軽減にするのに役立ち、２ｅ、３ｅに指を差込むことが出来るので、携帯用として持ち易くした。【００２４】  図１７の使用例の如く、台形箱型で安定しているので、正座の状態のままで膝から下の足首、指先を抜くことにより片足膝立ての状態でも使用する事もできる。【００２５】  大きい体の人は片足だけ座面板１の下に入れて、他の足は座椅子の外に出すことも可能で、座面板にお尻を乗せて楽に使える。【００２６】  図１７の使用例において、正座したままの状態から、上半身はそのままで両足を抜くことによりそのまま座椅子として使用することもできる。【００２７】  図１８の使用例において、左右台脚側面板３、２の２ａ、３ａ部を下にして台脚後面板４を上にし、台脚後面板４を座面として、使用することにより、異なった高さの座椅子としても使用できる。
この場合は、図１８で見られるように座面板１が２ａ、３ａの下面よりｄ１＝３ｍｍ程度出してあるので、台脚後面板４を座面として使用した場合に座面が前向きに傾いて身体の安定性に役立つものとしてある。
【考案を実施する為の最良の形態】
【００２８】  図１においてスプリング丁番５は左右台脚側面板３，２と台脚後面板４との接続において丁番の開きを容易にするために、ステンレス製のスプリング丁番５を使用した。
【００２９】  図１において２ａ、３ａは左右台脚側面板３、２に木材の反りを防ぐ為と割れに対する強度を高める為に別種の木材を縦横別に使用したものである。
【００３０】  図１５の如く、伸縮性ゴム紐７（アウトドア−用ゴム直径５ｍｍ程度）を使用し、台脚側面板２，３の上部２ｃ，３ｃが座面板１の１ａに嵌まり込み、スライド固定させる為の引っ張り紐となると共に、携帯時にコンパクトに畳む為の梱包紐となる。
【００３１】  図４の座面板裏１２に設けた座面板ガイド用部分材１ｃは、台脚側面板上部で座面板１をスライドさせる場合に左右のずれを防ぐ為のガイドレールとして取り付けたものである。
【００３２】  図９の折りたたみ携帯状態から、組み立てまでを、添付図面に従って説明する。
図１１如く、座面板１を後ろにまわし、４ｂを下側にして持ち、７を４ｃから外すと、左台脚側面板３はスプリング丁番５の働きにより、手前角度α＝９３〜９５度の角度に開く、又、図１３の様に右台脚側面板２も同じ作用により開いてくる。
【００３３】又、座面板裏面１２に設けた座面板ガイド用部分材１ｃにより左右台脚側面板２、３を固定するのに役立つものとした。
【００３４】  図１３で２、３、４が、コの字型の台脚となるのでその上に座面板１をのせて（図１４）、手前２ａ、３ａの方向へ滑らせてくると、１ａ１と２ｃ１、１ａ１と３ｃ１が噛み合うと同時に１ａと２ｃと３ｃが噛み合わされるので、図１５のように伸縮性ゴム紐７により、１ｄの部分が２ｄと３ｄの部分と合わさり、木製ではあるが座面板１がしっかりと椅子として組み上がる。
【実施例】
【００３５】図１６、１７、１８、１９にその実施例を示す。
【産業上の利用可能性】
【００３６】家庭で日常生活での使用の他に日本古来の伝統文化の中での稽古や練習、見学の席などに大変有効である。
【図面の簡単な説明】
【００３７】
【図１】考案の全体図
【図２】本考案の裏面全体図
【図３】座面板表面及び木口図
【図４】座面板裏面及び木口図
【図５】右台脚側面板及び木口図
【図６】左台脚側面板及び木口図
【図７】台脚後面板表面及び木口図
【図８】台脚後面板裏面及び木口図
【図９】収納時図面
【図１０】収納時裏側結束様子図面
【図１１】座面板を後側へ回した図
【図１２】右台脚側面板が開いた図
【図１３】左台脚側面板が開いた図
【図１４】左右台脚側面板に座面板を乗せた図
【図１５】座面板を左右台脚側面板に嵌め込む様子
【図１６】本考案の正座時使用例
【図１７】本考案の正座時より足首つま先を抜き出す態勢図及び座椅子としての使用例
【図１８】本考案を立てて座椅子としての使用例
【図１９】本考案を立てて肘掛けとしての使用例
【符号の説明】
【００３８】１．  座面板    １１．座面板表    １２．座面板裏
１ａ．座面板裏面小溝切り込み部分
１ａ１．座面板裏面小溝切込み部斜めかき合わせ女ザネ部分
１ｂ．ゴム紐止めリング金具
１ｃ．座面板ガイド用部分材
１ｄ．座面板後木口斜めかき合わせ男ザネ部分
２．  右台脚側面板    ２１．右台脚側面板内側    ２２．右台脚側面板外側
２ａ．右台脚右側面板の補強部材
２ｂ．右台脚側面板の切り抜き部分（直径７５ｍｍ）
２ｃ．右台脚側面板凸部かき合わせ部分
２ｃ１．右台脚側面板凸部かき合わせ部斜め木口男ザネ部
２ｃ２．右台脚側面板凸かき合わせ止め部分
２ｄ．右台脚側面板かき合わせ女ザネ部分
２ｅ．右台脚側面板の切り抜き部分
３．  左台脚側面板    ３１．左台脚側面板内側    ３２．左台脚側面板外側
３ａ．左台脚側面板補強部材
３ｂ．左台脚側面板切り抜き部分（直径７５ｍｍ）
３ｃ．左台脚側面板凸部かき合わせ部分
３ｃ１．左台脚側面板凸部かき合わせ部斜め木口男ザネ部
３ｃ２．左台脚側面板凸部かき合わせ止め部分
３ｄ．台脚左側面板かき合わせ女ザネ部分
３ｅ．左台脚側面板の切り抜き部
４．  台脚後面板    ４１．台脚後面板外側    ４２．台脚後面板内側
４ａ．台脚後面板補足材
４ｂ．台脚後面板切り欠き部
４ｂ１．台脚後面板切り欠き部分内側
４ｃ．台脚後面板ずれ止め切り込み部
５．  スプリング丁番
６．  三角吊り金具
７．  伸縮性ゴム紐
８．  スプリング丁番、固定用ビス
８ａ．固定用ビス
８ｂ．座面板ガイド用部材固定釘
ｄ１．座面板の左右台脚側面板からのはみ出し長さ
ｄ２．台脚後面板切り欠き部横幅の長さ
ｄ３．台脚後面板切り欠き部深さ
Ｒ１．台脚後面板切り欠き部半径
α．  台形内角角度（９３〜９５度程度）
β．  座面板裏面小溝切り込み部分角度（８７〜８５度程度）
【図１】
0003150407.tif 000003
【図２】
0003150407.tif 000004
【図３】
0003150407.tif 000005
【図４】
0003150407.tif 000006
【図５】
0003150407.tif 000007
【図６】
0003150407.tif 000008
【図７】
0003150407.tif 000009
【図８】
0003150407.tif 000010
【図９】
0003150407.tif 000011
【図１０】
0003150407.tif 000012
【図１１】
0003150407.tif 000013
【図１２】
0003150407.tif 000014
【図１３】
0003150407.tif 000015
【図１４】
0003150407.tif 000016
【図１５】
0003150407.tif 000017
【図１６】
0003150407.tif 000018
【図１７】
0003150407.tif 000019
【図１８】
0003150407.tif 000020
【図１９】
0003150407.tif 000021
【手続補正書】
【提出日】平成21年2月14日(2009.2.14)
【手続補正１】
【補正対象書類名】実用新案登録請求の範囲
【補正対象項目名】全文
【補正方法】変更
【補正の内容】
【実用新案登録請求の範囲】
【請求項１】
木製でありながら左台脚側面板と台脚後面板、右台脚側面板と台脚後面板の台形内角角度が９３〜９５度程度であり、ハの字形台形箱型を特徴とする正座兼座椅子。
【請求項２】
請求項１において、台脚後面板に幅２００ｍｍ程度、高さ４５〜５０ｍｍ程度、半径９６ｍｍ程度の三日月形切り込みを入れてある事を特徴とする正座兼座椅子。
【請求項３】
請求項１において、木製品の欠点である反りを防ぐ為に左右台脚側面板に別種の木製品を横桟として組み込んであること特徴とする正座兼座椅子。
【請求項４】
請求項１において、台脚後面板から伸縮性ゴム紐で座面板を引っ張ることで、座面板を左右台脚側面板に嵌め込むことが出来ることを特徴とする正座兼座椅子。